(57)【要約】【課題】走行画像データを単体で利用すること可能とする走行画像ファイル管理装置を提供する。【解決手段】走行画像ファイル管理装置では、移動体に搭載されたカメラが撮影した走行画像データを保持する走行画像データと、撮影日時情報、走行画像データ、及び移動体の走行位置情報を含む撮影関連データとを保持し、撮影関連データ取得手段が撮影関連データを取得し、走行画像データ取得手段が撮影関連データに対応する走行画像データを取得し、走行画像ファイル生成手段が走行画像データ、撮影日時情報、及び走行位置情報を含む走行画像ファイルを生成し、走行画像ファイル登録手段が走行画像ファイルを登録する。これにより、走行画像データを含むファイルを生成することができるため、単体で走行画像データを利用できる。【選択図】図１
2008310549.tif 000002
【特許請求の範囲】
【請求項１】
移動体に搭載されたカメラが撮影した走行画像データを保持する走行画像データ保持手段と、
撮影日時情報、前記走行画像データ、及び前記移動体の走行位置情報を含む撮影関連データを保持する撮影関連データ保持手段と、
前記撮影関連データを取得する撮影関連データ取得手段と、
前記撮影関連データに対応する前記走行画像データを取得する走行画像データ取得手段と、
前記走行画像データ、前記撮影日時情報、及び前記走行位置情報を含む走行画像ファイルを生成する走行画像ファイル生成手段と、
前記走行画像ファイルを登録する走行画像ファイル登録手段と、
を備えることを特徴とする走行画像ファイル管理装置。
【請求項２】
前記走行画像ファイル登録手段は、前記走行画像ファイルを前記撮影日時情報に対応する時間単位で登録することを特徴とする請求項１に記載の走行画像ファイル管理装置。
【請求項３】
前記走行画像ファイル登録手段は、前記走行画像ファイルを前記走行位置情報に対応するエリア単位で登録することを特徴とする請求項１又は２に記載の走行画像ファイル管理装置。
【請求項４】
前記撮影関連データは、撮影方向情報を含み、
前記走行画像ファイル生成手段は、前記走行画像ファイルに前記撮影方向情報を含める
ことを特徴とする請求項１乃至３のいずれか一項に記載の走行画像ファイル管理装置。
【請求項５】
移動体に搭載されたカメラが撮影した走行画像データを保持する走行画像データ保持工程と、
撮影日時情報、前記走行画像データ、及び前記移動体の走行位置情報を含む撮影関連データを保持する撮影関連データ保持工程と、
前記撮影関連データを取得する撮影関連データ取得工程と、
前記撮影関連データに対応する走行画像データを取得する走行画像データ取得工程と、
前記走行画像データ、前記撮影日時情報、及び前記走行位置情報を含む走行画像ファイルを生成する走行画像ファイル生成工程と、
前記走行画像ファイルを登録する走行画像ファイル登録工程と、
を備えることを特徴とする走行画像ファイル管理方法。
【請求項６】
コンピュータを備える装置によって実行される走行画像ファイル管理プログラムであって、
移動体に搭載されたカメラが撮影した走行画像データを保持する走行画像データ保持手段と、
撮影日時情報、前記走行画像データ、及び前記移動体の走行位置情報を含む撮影関連データを保持する撮影関連データ保持手段と、
前記撮影関連データを取得する撮影関連データ取得手段と、
前記撮影関連データに対応する走行画像データを取得する走行画像データ取得手段と、
前記走行画像データ、前記撮影日時情報、及び前記走行位置情報を含む走行画像ファイルを生成する走行画像ファイル生成手段と、
前記走行画像ファイルを登録する走行画像ファイル登録手段、として前記コンピュータを機能させることを特徴とする走行画像ファイル管理プログラム。
【請求項７】
請求項６に記載の走行画像ファイル管理プログラムを記憶したことを特徴とする記憶媒体。
【発明の詳細な説明】
【技術分野】
【０００１】
本発明は、走行画像ファイルを管理する技術に関する。
【背景技術】
【０００２】
従来から、走行車両が撮影した道路の動画像を複数の画像データに分割し、当該分割した画像データと緯度経度情報とをリンクさせた地図動画像リンクシステムがある（例えば、特許文献１参照）。当該地図動画像リンクシステムは、利用者によって指定された地図情報（緯度経度情報等）に対応する画像データを表示する。
【０００３】
【特許文献１】特開平１１−２７２１６４号公報
【発明の開示】
【発明が解決しようとする課題】
【０００４】
特許文献１の地図動画像リンクシステムの場合、利用者によって指定された地図情報に応じて走行画像データを表示することができるが、走行画像データ自体を単体で利用することができないという問題点があった。
【０００５】
本発明が解決しようとする課題としては、上記のものが例として挙げられる。本発明の目的は、走行画像データを単体で利用すること可能とする走行画像ファイル管理装置を提供することにある。
【課題を解決するための手段】
【０００６】
請求項１に記載の発明は、走行画像ファイル管理装置であって、移動体に搭載されたカメラが撮影した走行画像データを保持する走行画像データ保持手段と、撮影日時情報、前記走行画像データ、及び前記移動体の走行位置情報を含む撮影関連データを保持する撮影関連データ保持手段と、前記撮影関連データを取得する撮影関連データ取得手段と、前記撮影関連データに対応する前記走行画像データを取得する走行画像データ取得手段と、前記走行画像データ、前記撮影日時情報、及び前記走行位置情報を含む走行画像ファイルを生成する走行画像ファイル生成手段と、前記走行画像ファイルを登録する走行画像ファイル登録手段と、を備えることを特徴とする。
【０００７】
請求項５に記載の発明は、走行画像ファイル管理方法であって、移動体に搭載されたカメラが撮影した走行画像データを保持する走行画像データ保持工程と、撮影日時情報、前記走行画像データ、及び前記移動体の走行位置情報を含む撮影関連データを保持する撮影関連データ保持工程と、前記撮影関連データを取得する撮影関連データ取得工程と、前記撮影関連データに対応する走行画像データを取得する走行画像データ取得工程と、前記走行画像データ、前記撮影日時情報、及び前記走行位置情報を含む走行画像ファイルを生成する走行画像ファイルを生成する走行画像ファイル生成工程と、前記走行画像ファイルを登録する走行画像ファイル登録工程と、を備えることを特徴とする。
【０００８】
請求項６に記載の発明は、コンピュータを備える装置によって実行される走行画像ファイル管理プログラムであって、移動体に搭載されたカメラが撮影した走行画像データを保持する走行画像データ保持手段と、撮影日時情報、前記走行画像データ、及び前記移動体の走行位置情報を含む撮影関連データを保持する撮影関連データ保持手段と、前記撮影関連データを取得する撮影関連データ取得手段と、前記撮影関連データに対応する走行画像データを取得する走行画像データ取得手段と、前記走行画像データ、前記撮影日時情報、及び前記走行位置情報を含む走行画像ファイルを生成する走行画像ファイルを生成する走行画像ファイル生成手段と、前記走行画像ファイルを登録する走行画像ファイル登録手段、として前記コンピュータを機能させることを特徴とする。
【発明を実施するための最良の形態】
【０００９】
本発明の好適な実施形態では、走行画像ファイル管理装置は、移動体に搭載されたカメラが撮影した走行画像データを保持する走行画像データ保持手段と、撮影日時情報、前記走行画像データ、及び前記移動体の走行位置情報を含む撮影関連データを保持する撮影関連データ保持手段と、前記撮影関連データを取得する撮影関連データ取得手段と、前記撮影関連データに対応する前記走行画像データを取得する走行画像データ取得手段と、前記走行画像データ、前記撮影日時情報、及び前記走行位置情報を含む走行画像ファイルを生成する走行画像ファイルを生成する走行画像ファイル生成手段と、前記走行画像ファイルを登録する走行画像ファイル登録手段と、を備える。
【００１０】
上記の走行画像ファイル管理装置は、具体的には、カーナビゲーション装置や、パーソナルコンピュータであり、各種地図システムに適用することが可能である。走行画像ファイル管理装置は、予め、移動体に搭載されたカメラが撮影した走行画像データを保持する。そして、走行画像ファイル管理装置は、上記走行画像データの撮影日時と上記画像データとの関連を定義した撮影関連データを保持する撮影関連データも保持する。
【００１１】
撮影関連データ手段は、保持している撮影関連データを取得する。また、走行画像データ取得手段は、上記撮影関連データに対応する走行画像データを取得する。
【００１２】
そして、走行画像ファイル生成手段は、上記走行画像データと、上記撮影関連データ内の走行位置情報と、上記撮影関連データ内の撮影日時情報と、を含む走行画像ファイルを生成し、走行画像ファイル登録手段が、上記走行画像ファイルを登録する。
【００１３】
このように、走行画像ファイル管理装置は、撮影関連データに対応する走行画像データと、撮影関連データ内の撮影日時情報と、撮影関連データ内の走行位置情報とを含む走行画像ファイルを生成することにより、走行画像データを単体で使用することが可能となる。従って、走行画像ファイル管理装置は、当該走行画像データの検索効率が良くなるように登録することが可能となる。
【００１４】
上記の走行画像ファイル管理装置の一態様では、前記走行画像ファイル登録手段は、前記走行画像ファイルを前記撮影日時情報に対応する時間単位で登録する。
【００１５】
この場合、走行画像ファイル管理装置は、所定の時間単位で登録しているので、当該時間単位で走行画像ファイル内の走行画像データを効率良く検索することができる。
【００１６】
上記の走行画像ファイル管理装置の一態様では、前記走行画像ファイル登録手段は、前記走行画像ファイルを前記走行位置情報に対応するエリア単位で登録する。
【００１７】
この場合、走行画像ファイル管理装置は、所定の走行位置に対応するエリア（例えば、メッシュ等）単位で登録しているので、当該走行位置単位で走行画像ファイル内の走行画像データを効率良く検索することができる。
【００１８】
上記の走行画像ファイル管理装置の一態様では、前記撮影関連データは、撮影方向情報を含み、前記走行画像ファイル生成手段は、前記走行画像ファイルに前記撮影方向情報を含める。この場合、走行画像ファイル管理装置は、撮影方向情報を検索項目に含めて走行画像データの検索を行えば、撮影方向情報に対応する画像データを取得することができる。
【００１９】
本発明の他の観点では、走行画像ファイル管理方法は、移動体に搭載されたカメラが撮影した走行画像データを保持する走行画像データ保持工程と、撮影日時情報、前記走行画像データ、及び前記移動体の走行位置情報を含む撮影関連データを保持する撮影関連データ保持工程と、前記撮影関連データを取得する撮影関連データ取得工程と、前記撮影関連データに対応する走行画像データを取得する走行画像データ取得工程と、前記走行画像データ、前記撮影日時情報、及び前記走行位置情報を含む走行画像ファイルを生成する走行画像ファイルを生成する走行画像ファイル生成工程と、前記走行画像ファイルを登録する走行画像ファイル登録工程と、を備える。
【００２０】
上記の方法によっても、撮影関連データに対応する走行画像データと、撮影関連データ内の撮影日時情報と、撮影関連データ内の走行位置情報とを含む走行画像ファイルを生成することにより、走行画像データを単体で使用することが可能となり、当該走行画像データの検索効率が良くなるように登録することが可能となる。
【００２１】
本発明の他の観点では、コンピュータを備える装置によって実行される走行画像ファイル管理プログラムであって、移動体に搭載されたカメラが撮影した走行画像データを保持する走行画像データ保持手段と、撮影日時情報、前記走行画像データ、及び前記移動体の走行位置情報を含む撮影関連データを保持する撮影関連データ保持手段と、前記撮影関連データを取得する撮影関連データ取得手段と、前記撮影関連データに対応する走行画像データを取得する走行画像データ取得手段と、前記走行画像データ、前記撮影日時情報、及び前記走行位置情報を含む走行画像ファイルを生成する走行画像ファイル生成手段と、前記走行画像ファイルを登録する走行画像ファイル登録手段、として前記コンピュータを機能させる。このプログラムを、コンピュータ上で実行することにより、上記の走行画像ファイル管理装置を実現することができる。なお、この走行画像ファイル管理プログラムは、記録媒体に記録した状態で好適に取り扱うことができる。
【実施例】
【００２２】
以下、図面を参照して本発明の好適な実施例について説明する。
【００２３】
［走行画像ファイル管理装置］
図１に、本発明の実施例に係る走行画像ファイル管理装置１の構成を示す。走行画像ファイル管理装置１は、車両（例えば、地図調査用車両や一般車両）に搭載されたカメラが撮影した複数の画像データ及び車両が走行した情報である走行ログデータを保持し、上記走行ログデータに対応する画像データを取得し、走行ログデータ内の情報と画像データとを含む画像ファイルを生成し、当該画像ファイルを登録する装置である。走行画像ファイル管理装置１は、実体的には、パーソナルコンピュータやナビゲーション装置より構成される。
【００２４】
走行画像ファイル管理装置１は、図示のように、制御部２０と、記憶部３６と、入力装置６０とを備える。記憶部３６は、ハードディスク等であり、走行ログＤＢ１２０と、地複数の走行画像データ１４０と、走行画像ファイル１５０とを保持する。制御部２０は、ＣＰＵ（Ｃｅｎｔｒａｌ  Ｐｒｏｃｅｓｓｉｎｇ  Ｕｎｉｔ）等であり、走行ログデータ取得部１０１と、走行画像データ取得部１０２と、走行画像ファイル生成部１０３と、走行画像ファイル登録部１０４とを備える。即ち、制御部２０が所定のプログラムを実行することにより、走行ログデータ取得部１０１と、走行画像データ取得部１０２と、走行画像ファイル生成部１０３と、走行画像ファイル登録部１０４とを実現する。
【００２５】
走行ログＤＢ１２０は、走行ログデータ１２１を保持するデータベースである。図２に走行ログデータ１２１の構造を示す。走行ログデータ１２１は、位置情報１２２と、撮影日時情報１２３と、撮影方向情報１２４と、走行画像データ識別子１２５とを含む情報である。ここで、位置情報１２２は、具体的には、緯度経度情報であり、撮影時の地図調査用車両の位置を示す。撮影日時情報１２３は、カメラが画像を撮影した日時を示す。撮影方向情報１２４は、地図調査用車両の方向を示し、具体的には、北を基準にした場合における角度である。そして、走行画像データ識別子１２５は、走行画像データ１４０の識別子であり、走行画像データ１４０の保存先情報も含む。走行画像データ１４０は、地図調査用車両のカメラが撮影した走行画像データ１４０である。
【００２６】
走行画像ファイル１５０は、走行ログデータ１２１内の情報と、当該走行ログデータ１２１の走行画像データ識別子１２５に対応する走行画像データ１４０とを含むファイルである。ここで図３に走行画像ファイル１５０のファイル構造を示す。
【００２７】
走行画像ファイル１５０は、走行画像データ記憶領域１５１と付加情報記憶領域１５２とを有し、走行画像データ記憶領域１５１には、走行画像データ１４０が記憶され、付加情報記憶領域には、走行ログデータ１２１の位置情報１２２等の付加情報１４１が記憶される。なお、本実施例における走行画像ファイル１５０のファイル形式は、Ｅｘｉｆ（Ｅｘｃｈａｎｇｅ  Ｉｍａｇｅ  Ｆｉｌｅ  Ｆｏｒｍａｔ）形式とする。
【００２８】
走行ログデータ取得部１０１は、走行ログＤＢ１２０から走行ログデータ１２１を取得する。走行画像データ取得部１０２は、走行ログデータ取得部１０１が取得した走行ログデータ１２１の走行画像データ識別子１２５に対応する走行画像データ１４０を取得する。
【００２９】
走行画像ファイル生成部１０３は、走行画像データ取得部１０２が取得した走行画像データ１４０と、走行ログデータ取得部１０１が取得した走行ログデータ１２１内の情報（位置情報１２２や撮影日時情報１２３等）とを含む走行画像ファイル１５０を生成する。
【００３０】
走行画像ファイル登録部１０４は、走行画像ファイル生成部１０３が生成した走行画像ファイル１５０を記憶部３６へ登録する。また、走行画像ファイル登録部１０４は、上記走行画像ファイル１５０を例えば、撮影日時情報１２３の内の日付に基づいて階層化した構成で登録する。なお、走行画像ファイル登録部１０４が走行画像ファイル１５０を登録する方法については、後述する。入力装置６０は、利用者が各種メニュー等の選択・決定を行う手段である。具体的には、キーボードやマウス等である。
【００３１】
以上の構成を有する本実施例においては、記憶部３６が走行画像データ保持手段及び撮影関連データ保持手段として機能し、走行ログデータ１２１が撮影関連データとして機能する。
【００３２】
［走行画像ファイル管理］
次に走行画像ファイル１５０の管理について説明する。ここでいう走行画像ファイル１５０の管理とは、走行画像ファイル１５０を生成したり、生成した走行画像ファイル１５０を登録することをいう。
【００３３】
まず、図４を用いて、走行画像ファイル生成について説明する。走行ログデータ取得部１０１は、走行ログＤＢ１２０から走行ログデータ１２１を取得する。そして、走行画像データ取得部１０２は、当該走行ログデータ１２１の走行画像データ識別子１２５の走行ログデータ識別子１２５に対応する走行画像データ１４０を取得する。
【００３４】
そして、走行画像ファイル生成部１０３は、走行画像データ記憶領域１５１に走行画像データ１４０を記憶し、付加情報記憶領域１５２に走行ログデータ１２１の位置情報１２２と、走行ログデータ１２１の撮影日時情報１２３と、走行ログデータ１２１の撮影方向情報１２４とに基づいた付加情報１４１を記憶した走行画像ファイル１５０を生成する。
【００３５】
なお、付加情報１４１の緯度経度情報１４３は、位置情報１２２に対応し、付加情報１４１の方向情報は、撮影方向情報１２４に対応し、付加情報１４１の日付情報及び時間情報は、撮影日時情報１２３に対応する。
【００３６】
このように、走行画像ファイル生成部１０３が走行画像データ１４０を含む走行画像ファイル１５０を生成することにより、走行画像ファイル管理装置１は、走行画像データ１４０を単体で使用することができる。
【００３７】
上述の通り、走行画像ファイル生成部１０３が走行画像ファイル１５０を生成すると、走行画像ファイル登録部１０４は、走行画像ファイル１５０を図５（ａ）に示すようなディレクトリ構成に基づいて、登録する。
【００３８】
具体的には、最初に、走行画像ファイル登録部１０４は、走行画像ファイル１５０における付加情報１４１の緯度経度情報１４３を参照し、当該緯度経度情報１４３に対応するメッシュのメッシュフォルダ１６０を特定する。次に、走行画像ファイル登録部１０４は、走行画像ファイル１５０における付加情報１４１の日付情報を参照し、当該日付情報が対応する日付の日付フォルダ１６１を特定する。これにより、走行画像ファイル登録部１０４は、走行画像ファイル１５０の登録先のフォルダを決定し、当該フォルダに走行画像ファイル１５０を登録する。
【００３９】
このように、走行画像ファイル登録部１０４は、緯度経度情報１４３に対応するメッシュ及び日付情報に基づいて走行画像ファイル１５０を登録している。
【００４０】
これにより、走行画像ファイル管理装置１は、メッシュ及び日付情報を検索条件として走行画像データ１４０を検索する場合、上記メッシュ及び日付情報に基づいて図５（ａ）に示すディレクトリを検索すれば、該当する走行画像データ１４０を検索することができる。
【００４１】
例えば、図５（ｂ）に示すように、走行画像ファイル管理装置１がメッシュＭ１に対応する走行画像データ１４０を検索する際に、日付Ｔ１の時点の走行画像データ１４０を検索する場合は、日付フォルダ１６１Ａを検索することにより、当該日付Ｔ１に対応する走行画像データ１４０Ａ及び走行画像データ１４０Ｂを取得することができ、日付Ｔ２の時点の走行画像データ１４０を検索する場合は、日付フォルダ１６１Ｂを検索することにより、当該日付Ｔ２に対応する走行画像データ１４０Ｃ及び走行画像データ１４０Ｄを取得することができる。
【００４２】
また、地図データを検索する地図システムに走行画像ファイル管理装置１を適用する場合、図６に示すような地図表示画面１９０において、日付指定マーカ１９１に対応する日付が指定され、位置指定マーカ１９２に対応する位置が指定された場合、走行画像ファイル管理装置１は、指定された日付と、指定位置に対応するメッシュとに基づいてディレクトリ検索すれば、対応する走行画像データ１４０及び付加情報１４１を簡易に表示することができる。
【００４３】
［走行画像ファイル管理処理］
次に、走行画像ファイル管理処理の手順について図７示すフローチャートを用いて説明する。この処理は、走行画像管理装置１内の制御部２０が、予め用意されたプログラムを実行することにより実現される。
【００４４】
まず、利用者が入力装置６０を操作したことに応じて、制御部２０は、所定の命令を検知すると、上記プログラムを実行する。そして、走行ログデータ取得部１０１は、走行ログＤＢ１２０内の走行ログデータ１２１を取得する（ステップＳ１）。
【００４５】
走行画像データ取得部１０２は、走行ログデータ取得部１０１が取得した走行ログデータ１２１の走行画像データ識別子１２５に対応する走行画像データ１４０を取得する（ステップＳ２）。
【００４６】
そして、走行画像ファイル生成部１０３は、走行画像データ記憶領域１５１に走行画像データ取得部１０２が取得した走行画像データ１４０を記憶し、付加情報記憶領域１５２に走行ログデータ１２１に基づく付加情報１４１（日付情報や緯度経度情報等）を記憶した走行画像ファイル１５０を生成する（ステップＳ３）。
【００４７】
そして、走行画像ファイル登録部１０４は、上記走行画像ファイル１５０を、付加情報１４１の緯度経度情報に対応するメッシュのメッシュフォルダ１６０の階層下における付加情報１４１の日付情報の日付フォルダ１６１に登録し（ステップＳ４）、走行画像ファイル管理処理を終了する。
【００４８】
以上述べたように、走行画像ファイル管理装置は、移動体に搭載されたカメラが撮影した走行画像データを保持する走行画像データ保持手段と、撮影日時情報、走行画像データ、及び移動体の走行位置情報を含む撮影関連データを保持する撮影関連データ保持手段と、撮影関連データを取得する撮影関連データ取得手段と、撮影関連データに対応する走行画像データを取得する走行画像データ取得手段と、走行画像データ、撮影日時情報、及び走行位置情報を含む走行画像ファイルを生成する走行画像ファイル生成手段と、走行画像ファイルを登録する走行画像ファイル登録手段と、を備える。
【００４９】
このように、走行画像ファイル管理装置は、撮影関連データに対応する走行画像データと、撮影関連データ内の撮影日時情報と、撮影関連データ内の走行位置情報とを含む走行画像ファイルを生成することにより、走行画像データを単体で使用することが可能となる。従って、走行画像ファイル管理装置１は、当該走行画像データ１４０の検索効率が良くなるように登録することが可能となる。
【００５０】
また、走行画像ファイル管理装置１では、走行画像ファイル登録部１０４が、走行画像ファイル１５０の付加情報１４１の緯度経度情報１４３に対応するメッシュ及び付加情報１４１の日付情報に基づいて走行画像ファイル１５０を登録している。
【００５１】
これにより、走行画像ファイル管理装置１は、緯度経度情報１４３に対応するメッシュや日付情報に基づいて走行画像ファイル内の走行画像データ１４０を効率良く検索することができる。
【００５２】
また、走行画像ファイル生成部１０３は、撮影方向情報１２４を付加情報１４１に含めている。これにより、走行画像ファイル管理装置１は、撮影方向情報１２４を検索項目に含めて走行画像データの検索を行えば、当該撮影方向情報１２４に対応する走行画像データ１４０を取得することができる。
【００５３】
上記の実施例では、走行画像ファイル登録部１０４が、走行画像ファイル１５０の付加情報１４１の緯度経度に対応するメッシュ及び付加情報１４１の日付情報に基づいて走行画像ファイル１５０を登録する場合について述べたが、本発明は、これに限られず、走行画像ファイル１５０の付加情報１４１の緯度経度情報１４３に対応するメッシュにのみに基づいて登録しても良い。
【００５４】
この場合、走行画像ファイル管理装置１は、緯度経度情報１４３に対応するメッシュに基づいて走行画像ファイル１５０内の走行画像データ１４０を効率良く検索することができる。
【００５５】
上記の実施例では、走行画像ファイル登録部１０４が、走行画像ファイル１５０の付加情報１４１の緯度経度情報１４３に対応するメッシュ及び付加情報１４１の日付情報に基づいて走行画像ファイル１５０を登録する場合について述べたが、本発明は、これに限られず、走行画像ファイル１５０の付加情報１４１の日付情報のみに基づいて走行画像ファイル１５０を登録しても良い。
【００５６】
この場合、走行画像ファイル管理装置１は、日付情報に基づいて走行画像ファイル１５０内の走行画像データ１４０を効率良く検索することができる。
【００５７】
上記の実施例では、走行画像ファイル管理装置１は、静止画の画像データについて、走行画像ファイル１５０を生成する場合について述べたが、本発明は、これに限られず、動画を分割したフレーム画像データについて、走行画像ファイル１５０を生成するようにしても良い。
【００５８】
上記の実施例では、走行画像ファイル１５０のファイル形式について、Ｅｘｉｆファイル形式を適用する場合について述べたが、本発明は、これに限られず、画像データと当該画像データの付加情報とを保持できる他のファイル形式を適用するようにしても良い。
【図面の簡単な説明】
【００５９】
【図１】走行画像ファイル管理装置の概略構成を示すブロック図である。
【図２】走行ログデータ構造を示す図である。
【図３】走行画像ファイルのファイル構造を示す図である。
【図４】走行画像ファイル生成の概要図である。
【図５】走行画像ファイルの登録状態を概念的に示す図である。
【図６】走行画像データの表示例を示す図である。
【図７】走行画像ファイル管理処理のフローチャートである。
【符号の説明】
【００６０】
１  走行画像ファイル管理装置
１０１  走行ログデータ取得部
１０２  走行画像データ取得部
１０３  走行画像ファイル生成部
１０４  走行画像ファイル登録部
１２０  走行ログＤＢ
１５０  走行画像ファイル
【図１】
2008310549.tif 000003
【図２】
2008310549.tif 000004
【図３】
2008310549.tif 000005
【図４】
2008310549.tif 000006
【図５】
2008310549.tif 000007
【図６】
2008310549.tif 000008
【図７】
2008310549.tif 000009